(57)【要約】【課題】  この発明は、投射用ランプの特性のバラツキにかかわらず、投射用ランプが寿命により破裂するといったことを未然に防止できるようになる液晶プロジェクタを提供することを目的とする。【解決手段】  液晶プロジェクタが設置された際および投射用ランプが交換された際に、所定の入力操作に基づいて、ランプ点灯状態時の投射用ランプの電極間の電圧（以下、初期ランプ電圧という）を検出して、記憶装置に記憶させる第１手段、および通常動作時において、ランプ点灯状態時の投射用ランプのランプ電極間の電圧（以下、ランプ電圧という）を検出し、ランプ電圧と初期ランプ電圧とを比較し、その差が所定値を越えたときにランプ点灯を停止させる第２手段を備えている。【選択図】  図１
2005128402.tif 000002
【特許請求の範囲】
【請求項１】
液晶プロジェクタが設置された際および投射用ランプが交換された際に、所定の入力操作に基づいて、ランプ点灯状態時の投射用ランプの電極間の電圧（以下、初期ランプ電圧という）を検出して、記憶装置に記憶させる第１手段、および
通常動作時において、ランプ点灯状態時の投射用ランプのランプ電極間の電圧（以下、ランプ電圧という）を検出し、ランプ電圧と初期ランプ電圧とを比較し、その差が所定値を越えたときにランプ点灯を停止させる第２手段、
を備えていることを特徴とする液晶プロジェクタ。
【請求項２】
第２手段によってランプ点灯が停止せしめられたときに、投射用ランプを交換すべきことを報知するための第３手段を備えていることを特徴とする請求項１に記載の液晶プロジェクタ。
【発明の詳細な説明】
【技術分野】
【０００１】
この発明は、液晶プロジェクタに関する。
【背景技術】
【０００２】
液晶プロジェクタに使用されている高圧水銀ランプ（投射用ランプ）においては、点灯時間とともにランプ点灯状態時のランプ電極間の電圧（以下、ランプ電圧という）が上昇する傾向にあり、寿命末期にはランプ電極の磨耗による電極折れなどによって、ランプが破裂することがある。
【０００３】
ランプの寿命末期にランプが破裂するのを防止するために、ランプ電圧を所定の閾値（寿命判定用閾値）と比較し、ランプ電圧がその閾値を越えたときに、ランプ点灯を停止させるような技術が既に開発されている。従来においては、寿命判定用閾値は固定されている。
【０００４】
ところで、投射用ランプによって、初期のランプ電圧には約４０Ｖぐらいのバラツキがある。このため、従来のように寿命判定用閾値が固定されていると、投射用ランプによっては破壊する前に投射用ランプの点灯を停止させることができなくなる。
【０００５】
例えば、初期のランプ電圧が高めであった場合、ランプ電圧が寿命判定用閾値に到達するまでの時間が短くなるため、ランプの破裂の危険性がないにもかかわらず、ランプ点灯が停止されてしまう。逆に、初期のランプ電圧が低い場合には、ランプ電圧が寿命判定用閾値に到達するまでの時間が長くなるため、ランプの破裂の危険性があるにもかかわらず、ランプ点灯が停止されなくなる。
【特許文献１】特開平１１−６９８０号公報
【発明の開示】
【発明が解決しようとする課題】
【０００６】
この発明は、投射用ランプの特性のバラツキにかかわらず、投射用ランプが寿命により破裂するといったことを未然に防止できるようになる液晶プロジェクタを提供することを目的とする。
【課題を解決するための手段】
【０００７】
請求項１に記載の発明は、液晶プロジェクタが設置された際および投射用ランプが交換された際に、所定の入力操作に基づいて、ランプ点灯状態時の投射用ランプの電極間の電圧（以下、初期ランプ電圧という）を検出して、記憶装置に記憶させる第１手段、および通常動作時において、ランプ点灯状態時の投射用ランプのランプ電極間の電圧（以下、ランプ電圧という）を検出し、ランプ電圧と初期ランプ電圧とを比較し、その差が所定値を越えたときにランプ点灯を停止させる第２手段を備えていることを特徴とする。
【０００８】
請求項２に記載の発明は、請求項１に記載の発明において、第２手段によってランプ点灯が停止せしめられたときに、投射用ランプを交換すべきことを報知するための第３手段を備えていることを特徴とする。
【発明の効果】
【０００９】
この発明によれば、投射用ランプの特性のバラツキにかかわらず、投射用ランプが寿命により破裂するといったことを未然に防止できるようになる。
【発明を実施するための最良の形態】
【００１０】
以下、図面を参照して、この発明の実施例について説明する。
【実施例１】
【００１１】
図１は、主として液晶プロジェクタに設けられたランプバラストユニットの構成を示している。
【００１２】
ＡＣプラグは電源回路１に接続されている。電源回路１は、液晶プロジェクタのメインＣＰＵ４およびランプバラストユニット２に電力を供給する。ランプバラストユニット２は、投射用ランプ３に接続されている。ランプバラストユニット２は、液晶プロジェクタのメインＣＰＵ４にも接続されている。メインＣＰＵ４は、電源回路１およびランプバラストユニット２を制御する。
【００１３】
ランプバラストユニット２は、電力制御回路１１、ＤＣ／ＡＣ変換回路１２、高圧発生回路１３、ランプ電圧検出回路１４およびサブＣＰＵ１５を備えている。サブＣＰＵ１５は、メインＣＰＵ４に接続されている。メインＣＰＵ４は、後述するように、投射用ランプ３の初期のランプ電圧Ｖｓを記憶するための記憶装置５を備えている。
【００１４】
電源回路１によって生成された直流の電力は、電力制御回路１１を介してＤＣ／ＡＣ変換回路１２に送られる。ＤＣ／ＡＣ変換回路１２は、直流の電力を交流の電力に変換する。ＤＣ／ＡＣ変換回路１２によって生成された交流の電力は、高圧発生回路１３を介して投射用ランプ３に供給される。高圧発生回路１３は、投射用ランプ３の点灯開始時に、高圧電力を生成して、投射用ランプ３に供給する。投射用ランプ３が点灯した後においては、ＤＣ／ＡＣ変換回路１２によって生成された交流の電力が、高圧発生回路１３をスルーして投射用ランプ３に供給される。ランプ電圧検出回路１４は、ランプ点灯状態時のランプ電極間の電圧を検出する。サブＣＰＵ１５は、ランプバラストユニット２内の各部を制御するとともに、メインＣＰＵ４との通信を行う。
【００１５】
液晶プロジェクタが設置された際および投射用ランプ３が交換された際には、操作者による所定の操作に基づいて、メインＣＰＵ４は、ランプ電圧検出回路１４によって検出されたランプ点灯状態時（点灯を開始した後の通常点灯時）のランプ電極間の電圧（初期ランプ電圧）Ｖｓを、サブＣＰＵ１５を介して受信して、記憶装置５に格納する。
【００１６】
以上のような構成において、投射用ランプ３が点灯されると、ランプ電圧検出回路１４は、ランプ点灯状態時のランプ電極間の電圧（ランプ電圧）を検出する。ランプ電圧検出回路１４によって検出されたランプ電圧は、サブＣＰＵ１５を介してメインＣＰＵ４に送られる。メインＣＰＵ４は、ランプ点灯状態時（点灯を開始した後の通常点灯時）において、ランプ電圧検出回路１４によって検出されたランプ電圧Ｖｘを常時モニタする。
【００１７】
そして、メインＣＰＵ４は、ランプ電圧検出回路１４からサブＣＰＵ１５を介して取得したランプ電圧Ｖｘと、記憶装置５に記憶している初期ランプ電圧Ｖｓとの差ΔＶ（＝Ｖｘ−Ｖｓ）を算出し、差ΔＶが所定の閾値αを越えたか否かを判別する。差ΔＶが閾値αを越えたと判別した場合には、メインＣＰＵ４は、ランプバラストユニット２内のサブＣＰＵ１５に動作停止信号を出力するとともに、液晶プロジェクタのランプ交換インジケータ（発光ダイオード等）によってランプを交換すべきことをユーザに知らせる。
【００１８】
ランプバラストユニット２内のサブＣＰＵ１５は、メインＣＰＵ４からの動作停止信号を受信すると、ランプバラストユニット２内の各部の動作を停止させ、ランプ点灯を停止させる。
【００１９】
この実施例では、投射用ランプ３のランプ電圧Ｖｘと、そのランプの初期ランプ電圧Ｖｓと差が、所定値αを越えたか否かを判別することにより、ランプ点灯を停止すべきか否か判定しているので、使用する投射用ランプの初期ランプ電圧にバラツキがあっても、投射用ランプが寿命により破裂するといったことを未然に防止できるようになる。
【図面の簡単な説明】
【００２０】
【図１】主として液晶プロジェクタに設けられたランプバラストユニットの構成を示すブロック図である。
【符号の説明】
【００２１】
１  電源回路
２  ランプバラストユニット
３  投射用ランプ
４  メインＣＰＵ
５  記憶装置
１１  電力制御回路
１２  ＤＣ／ＡＣ変換回路
１３  高圧発生回路
１４  ランプ電圧検出回路
１５  サブＣＰＵ
【図１】
2005128402.tif 000003